(57)【要約】【課題】洗浄装置に除毛器具をセットした状態で洗浄装置から除毛器具に電力乃至除毛器具を制御する制御信号の少なくとも一方又は両方を伝送できる。洗浄装置の上下高さが高くならない。【解決手段】体毛処理部１を有する電動式の除毛器具２と、この除毛器具２が配置されて除毛器具２の体毛処理部１を洗浄するようにした洗浄部４を備えた洗浄装置３とで構成された洗浄システムである。除毛器具２を洗浄装置３の洗浄部４に配置した状態で洗浄装置３から除毛器具２に電力乃至除毛器具２を制御する制御信号の少なくとも一方又は両方を伝送するための伝送手段を設ける。伝送手段を、除毛器具２の側面に設けた除毛器具側伝送部Ａと、除毛器具２を洗浄部４に配置した状態で除毛器具２の側面に設けた除毛器具側伝送部Ａに対応する洗浄部４位置に設けた洗浄装置側伝送部Ｂとで構成する。【選択図】        図１
2004261208.tif 000002
【特許請求の範囲】
【請求項１】
体毛の除毛をおこなうための体毛処理部を有する電動式の除毛器具と、この除毛器具が配置されて除毛器具の体毛処理部を洗浄するようにした洗浄部を備えた洗浄装置とで構成された洗浄システムであって、洗浄のために除毛器具を洗浄装置の洗浄部に配置した状態で洗浄装置から除毛器具に電力乃至除毛器具を制御する制御信号の少なくとも一方又は両方を伝送するための伝送手段を設け、該伝送手段を、除毛器具の側面に設けた除毛器具側伝送部と、除毛器具を洗浄部に配置した状態で除毛器具の側面に設けた除毛器具側伝送部に対応する洗浄部位置に設けた洗浄装置側伝送部とで構成して成ることを特徴とする除毛器具の洗浄システム。
【請求項２】
洗浄のために除毛器具を洗浄装置の洗浄部に配置した状態で洗浄器具側伝送部と除毛器具側伝送部とを電気的に接続して成ることを特徴とする請求項１記載の除毛器具の洗浄システム。
【請求項３】
洗浄器具側伝送部を一次巻線で構成すると共に除毛器具側伝送部を二次巻線で構成して一次巻線と二次巻線との間を電磁接続して成ることを特徴とする請求項１記載の除毛器具の洗浄システム。
【請求項４】
洗浄のために除毛器具を洗浄装置の洗浄部に配置して除毛器具側伝送部が洗浄装置側伝送部に対向した状態を保持するための保持手段を設けて成ることを特徴とする請求項１乃至請求項３のいずれかに記載の除毛器具の洗浄システム。
【請求項５】
保持手段が除毛器具の除毛器具側伝送部を洗浄装置の洗浄装置側伝送部に向けて押し付ける圧力を付与するものであることを特徴とする請求項４記載の除毛器具の洗浄システム。
【請求項６】
洗浄装置の洗浄装置側伝送部を設けた側に設置した保持手段を構成する引圧装置により除毛器具を洗浄装置側に引き付けることを特徴とする請求項５記載の除毛器具の洗浄システム。
【請求項７】
洗浄装置の洗浄部をはさんで洗浄装置側伝送部と対向する側に設置した保持手段を構成する押圧装置により除毛器具を洗浄装置に押付けることを特徴とする請求項５記載の除毛器具の洗浄システム。
【請求項８】
洗浄装置に保持手段を構成する傾斜部を設けて除毛器具を傾斜部に傾斜させて保持することで除毛器具の自重により除毛器具側伝送部を洗浄装置側伝送部に向けて押し付けることを特徴とする請求項５記載の除毛器具の洗浄システム。
【発明の詳細な説明】
【０００１】
【発明の属する技術分野】
本発明は、電気かみそりや脱毛器等の除毛器具を洗浄するための除毛器具の洗浄システムに関するものである。
【０００２】
【従来の技術】
従来からこの種の洗浄装置として、ひげそり装置の上端部のヘッドに体毛処理部を設け、ひげそり装置の下端部に接触ピンを設け、このひげそり装置をヘッド部が下となるように上下逆にした状態で洗浄装置にセットして、ヘッド部を洗浄装置の洗浄部に配置し、洗浄装置に設けたスイッチング装置の接触ピンを上下逆にセットしたひげそり装置の上端面の接触装置に接触させて電力を供給するようになっているものが知られている。（例えば、特許文献１参照）
上記特許文献１に示された従来例にあっては、スイッチング装置を洗浄装置にセットした髭剃り装置の上端面よりも上方に存在する必要があり、このため、洗浄装置の上下高さが高くなるという問題があり、洗浄装置の設置場所の制約となるという問題がある。
【０００３】
【特許文献１】
特開平７−２３６５１４号公報
【０００４】
【発明が解決しようとする課題】
本発明は上記の点に鑑みてなされたものであり、洗浄装置に除毛器具を洗浄のためにセットした状態で洗浄装置から除毛器具に電力乃至除毛器具を制御する制御信号の少なくとも一方又は両方を伝送するに当たり、洗浄装置の上下高さが高くならないような構造で伝送でき、しかも、簡単な構成で除毛器具側伝送部が洗浄装置側伝送部に対向した状態を保持することができる除毛器具の洗浄システムを提供することを課題とするものである。
【０００５】
【課題を解決するための手段】
上記課題を解決するために本発明に係る除毛器具の洗浄システムは、体毛の除毛をおこなうための体毛処理部１を有する電動式の除毛器具２と、この除毛器具２が配置されて除毛器具２の体毛処理部１を洗浄するようにした洗浄部４を備えた洗浄装置３とで構成された洗浄システムであって、洗浄のために除毛器具２を洗浄装置３の洗浄部４に配置した状態で洗浄装置３から除毛器具２に電力乃至除毛器具２を制御する制御信号の少なくとも一方又は両方を伝送するための伝送手段を設け、該伝送手段を、除毛器具２の側面に設けた除毛器具側伝送部Ａと、除毛器具２を洗浄部４に配置した状態で除毛器具２の側面に設けた除毛器具側伝送部Ａに対応する洗浄部４位置に設けた洗浄装置側伝送部Ｂとで構成して成ることを特徴とするものである。
【０００６】
このような構成とすることで、洗浄のために除毛器具２を洗浄装置３の洗浄部４に配置した状態で洗浄装置３から除毛器具２に電力乃至除毛器具２を制御する制御信号の少なくとも一方又は両方を伝送することができて、洗浄のために除毛器具２を洗浄装置３にセットした状態で除毛器具２に充電したり、あるいは洗浄の際に洗浄装置３から制御信号を伝送して除毛器具２の体毛処理部１を駆動させて洗浄効果を上げるようにすることができるのみならず、このように、洗浄のために除毛器具２を洗浄装置３の洗浄部４に配置した状態で洗浄装置３から除毛器具２に電力乃至除毛器具２を制御する制御信号の少なくとも一方又は両方を伝送するに当たって、除毛器具２を洗浄部４に配置した状態で除毛器具２の側面に設けた除毛器具側伝送部Ａに対応する洗浄部４位置に設けた洗浄装置側伝送部Ｂとで構成してあることで、洗浄装置側伝送部Ｂを従来のように洗浄装置３に除毛器具２をセットした状態で除毛器具２の上面よりも上方に配置する必要がなく、これにより、洗浄装置３の上下高さを低くすることが可能となるものである。
【０００７】
また、洗浄のために除毛器具２を洗浄装置３の洗浄部４に配置した状態で洗浄器具側伝送部Ａと除毛器具側伝送部Ａとを電気的に接続することが好ましい。このような構成とすることで、除毛器具２の側面に設けた除毛器具側伝送部Ａと洗浄装置３に設けた洗浄装置側伝送部Ｂとを電気的に接続することで簡単な構成で洗浄装置３の上下高さを低く出きることを可能としながら洗浄装置３から除毛器具２に電力乃至除毛器具２を制御する制御信号の少なくとも一方又は両方を伝送することができるものである。
【０００８】
また、洗浄装置側伝送部Ｂを一次巻線９７で構成すると共に除毛器具側伝送部Ａを二次巻線９８で構成して一次巻線９７と二次巻線９８との間を電磁接続することが好ましい。このような構成とすることで、洗浄装置３の上下高さを低くできることを可能としながら洗浄装置３から除毛器具２に電力乃至除毛器具２を制御する制御信号の少なくとも一方又は両方を伝送することができ、しかも、非接触により電力や制御信号を伝達できて防水構造が簡単となり、また、除毛器具２の側面に端子を設ける必要がなくて除毛器具２が握り易くなる。
【０００９】
また、洗浄のために除毛器具２を洗浄装置３の洗浄部４に配置して除毛器具側伝送部Ａが洗浄装置側伝送部Ｂに対向した状態を保持するための保持手段Ｃを設けることが好ましい。このような構成とすることで、洗浄のために除毛器具２を洗浄装置３の洗浄部４に配置して除毛器具側伝送部Ａが洗浄装置側伝送部Ｂに対向した状態を保持手段Ｃにより保持できて、除毛器具２を洗浄装置３にセットした状態における除毛器具側伝送部Ａと洗浄装置側伝送部Ｂとの位置関係を正確に保持できるものである。
【００１０】
また、保持手段Ｃが除毛器具２の除毛器具側伝送部Ａを洗浄装置３の洗浄装置側伝送部Ｂに向けて押し付ける圧力を付与するものであることが好ましい。このような構成とすることで、除毛器具２を洗浄装置３にセットした状態における除毛器具側伝送部Ａと洗浄装置側伝送部Ｂとの位置関係を保持手段Ｃにより保持した状態で除毛器具側伝送部Ａを洗浄装置３の洗浄装置側伝送部Ｂ側に向けて押し付けて両者の位置関係が離れないようにできるものである。
【００１１】
また、洗浄装置３の洗浄装置側伝送部Ｂを設けた側に設置した保持手段Ｃを構成する引圧装置９５により除毛器具２を洗浄装置３側に引き付けることが好ましい。このような構成とすることで、引圧装置９５により除毛器具２を洗浄装置３側に引き付けることで除毛器具側伝送部Ａを洗浄装置３の洗浄装置側伝送部Ｂ側に向けて押し付けて両者の位置関係が離れないようにできるものである。
【００１２】
また、洗浄装置３の洗浄部４をはさんで洗浄装置側伝送部Ｂと対向する側に設置した保持手段Ｃを構成する押圧装置９６により除毛器具２を洗浄装置３に押付けることが好ましい。このような構成とすることで、押圧装置９６により除毛器具２を洗浄装置３側に押付けることで除毛器具側伝送部Ａを洗浄装置３の洗浄装置側伝送部Ｂ側に向けて押し付けて両者の位置関係が離れないようにできるものである。
【００１３】
また、洗浄装置３に保持手段Ｃを構成する傾斜部３１を設けて除毛器具２を傾斜部３１に傾斜させて保持することで除毛器具２の自重により除毛器具側伝送部Ａを洗浄装置側伝送部Ｂに向けて押し付けることが好ましい。このような構成とすることで、傾斜部３１を設けるという簡単な構成で、除毛器具２自身の自重により除毛器具側伝送部Ａを洗浄装置側伝送部Ｂに向けて押し付けて両者の位置関係が離れないようにできるものである。
【００１４】
【発明の実施の形態】
以下、本発明を添付図面に示す実施形態に基づいて説明する。
【００１５】
洗浄装置３は、体毛の切断や脱毛等の除毛をおこなうための体毛処理部１を有する電気剃刀や脱毛器等の除毛器具２の体毛処理部１を洗浄するためのものである。
【００１６】
この洗浄装置３は、図１乃至図５に示すようなもので、洗浄装置３の主体を構成するための洗浄装置本体１３は、上方が開口した洗浄皿部よりなる洗浄部４の一側方に容器設置部１８を設けると共に他側方にファン収納部１９を設け、更に、洗浄部４及びファン収納部１９の下方にフィルターケース収納部２０を設けてあり、洗浄装置本体１３の下部のフィルターケース収納部２０の側方位置にポンプ収納部２１が設けてある。
【００１７】
容器設置部１８は洗浄皿部よりなる洗浄部４の一側方に上方に向けて立ち上がった立ち上がり部２２と、立ち上がり部２２の洗浄部４と反対側の側方の段部２３とで構成してあり、この立ち上がり部２２と段部２３とよりなるＬ状をした容器設置部１８に容器５を着脱自在に設置して取付けることができるようになっている。
【００１８】
図１、図３、図４に示すように、ポンプ収納部２１と立ち上がり部２２内の空所とは連通しており、ポンプ収納部２１に配置したポンプ７の上部が立ち上がり部２２内部の空所の下部内に位置しており、これによりポンプ収納部２１の上下高さをできるだけ短くして容器設置部１８よりも下部の部分の上下長さをできるだけ短くなるようにしてある。また、立ち上がり部２２内の空所には開閉口１１とこの開閉口１１を開閉するための気密弁８を備えた気密開閉部２４を配置して取付けてある。
【００１９】
立ち上がり部２２の上面部には図１、図３、図４、図６に示すように、連結部２５、２６、２７が設けてあり、連結部２５、２６、２７はそれぞれ上方に開口した孔により構成してあって後述の容器５に設けた３つの連結管９、連結管１０、連結管１２が上方からの操作により着脱自在に接続できるようになっている。
【００２０】
図６に示すように、上記連結部２５と気密開閉部２４の開閉口１１とはチューブ２８により連通接続してあり、電磁弁よりなる気密弁８は図７に示すようなもので、無通電の時は鉄心８ａがばね８ｂにより押し下げられて開閉口１１を開き且つ通電時にはコイル８ｃの電磁石により鉄心８ａが開閉口１１を塞ぐ側に移動して開閉口１１を閉じるようになっている。この開閉口１１の孔面積は、後述のポンプ７から容器５内に流体を送る送入口９ａの孔面積と同じか又は大きくしてある。
【００２１】
また、図６に示すように、連結部２６とポンプ７の出口部７ａとがチューブ２９により連通接続してある。
【００２２】
また、図３に示すように、連結部２７は後述の立ちあがり部２２の洗浄部４側の側面部に設けた洗浄液６を放出する放出孔部１４とチューブ３０により連通接続してある。
【００２３】
ポンプ７はダイヤフラム式ポンプにより構成した循環ポンプであり、図８に示すように、原動力となるポンプモータ７ｂと、ポンプモータ７ｂの出力軸に取付けた偏芯軸７ｃと、一端部を偏芯軸７ｃに取付け且つ他端部をダイヤフラム７ｄに取付けた連結アーム７ｅと、吸気弁７ｆと排気弁７ｇで構成してあり、ポンプモータ７ｂの回転が偏芯軸７ｃ、連結アーム７ｅを介して接続されたダイヤフラム７ｄを上下動に変換されるようになっており、ダイヤフラム７ｄが上方に引っ張られて上方に移動するとポンプ内圧が低下し、このため吸気弁７ｆが内側に撓んで開くと共に排気弁７ｇが閉じられて洗浄液６及び空気が入口部７ｈから流入する。次に、ダイヤフラム７ｄが押されて下方に移動するとポンプ内圧が上昇し、そのため吸気弁７ｆが閉じられると共に排気弁７ｇが外側に撓んで開き、洗浄液及び空気が出口部７ａから流出するようになっている。
【００２４】
立ち上がり部２２の洗浄部４側の側面部には下程洗浄部４の内部に向かうように下り傾斜した傾斜部３１が設けてあり、この傾斜部３１には除毛器具２を受けて支持するための突起状の支持部３２が設けてある。また、立ちあがり部２２の洗浄部４側の側面部の上部には図５に示すように左右一対の保持アーム４６が設けてあり、この保持アーム４６は一方が固定保持アーム４６ａとなり、他方が回動自在な可動保持アーム４６ｂとなっており、可動保持アーム４６ｂは一端部が立ち上がり部２２に回動自在に軸支してあると共にばね（図示せず）により一方向に回動させようとするばね力が付与してある。
【００２５】
添付図面に示す実施形態では除毛器具２の一側面部にトリマー部５２が突出おり、図１に示すように、洗浄部４に除毛器具２を上下逆にして（体毛処理部１が下を向くようにして）入れて傾斜部３１に沿って除毛器具２をもたれさせた状態でトリマー部５２を支持部３２に載置して支持すると共に、一対の保持アーム４６により除毛器具２を左右両側から抱持する（除毛器具２の両側の一側を固定保持アーム４６ａにより保持すると共に可動保持アーム４６ｂにより除毛器具２の他側を弾性的保持する）ことで除毛器具２の先端部の体毛処理部１を洗浄皿部よりなる洗浄部４の底部４ａより少し浮かした状態で洗浄部４に配設支持できるようにしている。
【００２６】
上記傾斜部３１には図３に示すように洗浄液６を放出する放出孔部１４が開口していて、放出孔部１４から洗浄液６が洗浄皿よりなる洗浄部４に放出されて洗浄部４内に配設支持された除毛器具２の先端部の体毛処理部１を洗浄するようになっている。
【００２７】
洗浄液６を入れる容器５は図９に示されるようなもので、容器５は洗浄液溜め部３４と洗浄液溜め部３４の上端部に連続して形成された洗浄液溜め部３４よりも幅広の空気室部３５とで略逆Ｌ状に構成してあり、上部の幅広の空気室部３５の側部が洗浄液溜め部３４より側方に突出していて側方突出部３６となっている。この側方突出部３６の底部に送入口９ａである連結管９と、排出口１０ａである連結管１０と、前述の開閉口１１に接続される連結管１２とを備えている。各連結管９、１０、１２はそれぞれ下部が側方突出部３６の底部から下方に突出し、上部が空気室部３５内において側方突出部３６の底部から上方に突出している。
【００２８】
連結管１０には容器５内に縦に配置した容器チューブ３７の上端部が連通接続してあり、容器チューブ３７の下端部は容器５の洗浄液溜め部３４の下端部付近において開口している。
【００２９】
連結管９、１０、１２の側方突出部３６の底部から下方に突出している部分にはそれぞれＯリング９ｂ、１０ｂ、１２ｂが設けてある。
【００３０】
容器５の空気室部３５の上部には上方に開口した開口部１５が設けてあり、該開口部１５に上方から着脱自在なキャップ１６が取付けてある。キャップ１６にはＯリング１６ａが設けてあり、キャップ１６を開口部１５に嵌め込んで開口部１５を閉じた状態で気密を保持するようにしている。開口部１５はキャップ１６を外して開口部１５から容器５内に洗浄液６を入れるために利用するものであり、この場合、洗浄液６はその水位が容器５の洗浄液溜め部３４の上端（つまり幅広となった空気室部３５の下端）を目安とし、洗浄液溜め部３４の上端（つまり幅広となった空気室部３５の下端）を越えないように入れるものである。
【００３１】
上記の構成の略逆Ｌ状をした容器５は洗浄装置本体１３の略Ｌ状をした容器設置部１８に上方から載設し、容器５の下端面部を容器設置部１８の段部２３に載置すると共に容器５の側方突出部３６の底部を容器設置部１８の立ち上がり部２２の上面部に載置することで着脱自在に取付けるものであり、この場合、図６に示すように連結管９、１０、１２の側方突出部３６の底部から下方に突出している部分をそれぞれ、立ち上がり部２２の上面部には設けた連結部２５、２６、２７に着脱自在に嵌め込んで連結してある。この場合、連結管９、１０、１２に設けたＯリング９ｂ、１０ｂ、１２ｂがそれぞれ孔よりなる連結部２５、２６、２７の内面に密接して気密が保たれるようになっている。
【００３２】
このように容器５を洗浄装置本体１３に取付けて洗浄部４の側方に配設した状態で、容器５はキャップ１６の取付け部分においてはＯリング１６ａにより気密が保たれ、連結管９、１０、１２の連結部２５、２６、２７との連結部分においてはＯリング９ｂ、１０ｂ、１２ｂにより気密が保たれた密閉された容器５となるものである。
【００３３】
また、上記のように容器５を上方からの操作で着脱自在に容器設置部１８に載置すると共に連結管９、１０、１２を連結部２５、２６、２７に着脱自在に嵌め込んで連結することで、容器５の着脱操作により洗浄装置本体１３が倒れたり、横方向にずれたりせず、操作性が良くなるものである。
【００３４】
上記のように洗浄部４の側方に洗浄液６を入れる容器５を配設することで、洗浄液６を入れる容量の大きい容器５を洗浄部４の下方に配置する従来例に比べて洗浄装置３全体の上下高さを低くでき、洗浄装置３の嵩を低くしてコンパクト化が図れるものである。
【００３５】
洗浄皿部よりなる洗浄部４の底部４ａには排水孔部３８が設けてあり、洗浄部４の上部にはオーバーフロー部３９が設けてあり、洗浄装置本体１３に設けたオーバーフロー排水路４０の上端部がオーバーフロー部３９に連続すると共にオーバーフロー排水路４０の下端部が洗浄部４の下部のフィルターケース収納部２０の上面部に開口している。
【００３６】
洗浄装置本体１３の下部に設けたフィルターケース収納部２０は洗浄装置本体１３の下部の一側において側方に開口していて、この側方開口から図１乃至図５に示すようにフィルターケース４１が出し入れ自在に挿入して収納してある。
【００３７】
フィルターケース４１は図１０に示すようなもので、上方が開口した凹所４２を備え、この凹所４２内にフィルター４３を設けて凹所４２内を２室に仕切ってある。凹所４２内のフィルター４３により仕切られた２室のうち一室４２ａは図１に示すようにフィルターケース４１をフィルターケース収納部２０内に収納した状態で上記洗浄部４の底部４ａには排水孔部３８と、オーバーフロー排水路４０の下端開口とが連通する部分となっており、また、凹所４２内のフィルター４３により仕切られた２室のうち他室４２ｂはフィルターケース４１に設けた筒部よりなる接続部４４と連通しており、この筒部よりなる接続部４４にはＯリング４４ａが設けてある。そして、フィルターケース４１をフィルターケース収納部２０内に収納した状態で接続部４４が入口部７ｈに着脱自在に嵌め込まれて接続されると共にＯリング４４ａが入口部７ｈの内面に密接して接続部分の気密を保持するようにしている。
【００３８】
ファン収納部１９には図１、図３、図４に示すようにファン装置４５が配設してある。ファン装置４５は図１１に示すようなもので、ファンケース４５ａに取付けたファンモータ４５ｂによりファンケース４５ａ内に設けたファン４５ｃを回転してファンケース４５ａに設けた吸込み口４５ｄから吸い込んで吹出し口４５ｅから送風すようになっており、このファン装置４５の吹出し口４５ｅは洗浄部４に除毛器具２を先端部の体毛処理部１を下にして配置した状態で、体毛処理部１に向かって上方から空気を送風して乾燥できるように下方に向けて開口している。
【００３９】
除毛器具２は電気かみそりや脱毛装置であり、先端部のヘッド部５０に体毛処理部１を備えたものである。図１５乃至図１９には除毛器具２として電気かみそりの例を示している。図１５乃至図１９に示す電気かみそりは、大きく分けてグリップ部５１とヘッド部５０とにより構成してあり、ヘッド部５０には体毛を切断する外刃、内刃や脱毛爪等を備えた体毛処理部１が設けてあり、この部分にひげ屑や皮脂等の汚れが溜まる。このため、洗浄装置３においてはこの除毛器具２のヘッド部５０の体毛処理部１を洗浄するものである。
【００４０】
しかして、洗浄装置３により除毛器具２の体毛処理部１を洗浄するに当たっては以下のようにして行うものである。
【００４１】
洗浄装置本体１３に前述のようにして洗浄液６を入れた容器５を設置すると共にフィルターケース収納部２０にフィルターケース４１を収納する。
【００４２】
次に、洗浄部４に除毛器具２を上下逆にして入れて傾斜部３１に沿って除毛器具２をもたれさてトリマー部５２を支持部３２に載置して支持すると共に一対の保持アーム４６により除毛器具２を左右両側から抱持することで除毛器具２の先端部の体毛処理部１を洗浄皿部よりなる洗浄部４の底部４ａより少し浮かした状態で洗浄部４に配設支持する。
【００４３】
この状態でポンプ７を作動させ、フィルターケース４１を介してダイヤフラム型ポンプよりなるポンプ７の入口部７ｈから空気が出口部７ａに加圧して送出され、チューブ２９、送入口９ａである連結管９を介して容器５内の空気室部３５に送られる。ここで、容器５内は前述のように密閉されて気密が保たれているので、ポンプ７により容器５内に加圧空気が送られると容器５内の空気室部３５内の内圧が上昇し、これにより容器５内の洗浄液溜め部３４内に入れた洗浄液６の水面が押され、容器チューブ３７の下端部から洗浄液６が連結管１０、チューブ３０を経て放出孔部１４から洗浄部４に放出される。
【００４４】
洗浄皿よりなる洗浄部４に放出された洗浄液６の一部は洗浄部４の底部４ａの排水孔部３８からフィルターケース４１の一室４２ａに放出されるが、洗浄液６の水位が徐々に高くなっていく（この時、放出孔部１４から洗浄皿部よりなる洗浄部４に放出する洗浄液６の液量は排水孔部３８より放出される液量よりも多い）。洗浄部４内における洗浄液６の水位がオーバーフロー部３９に達するとオーバーフロー部３９からオーバーフローしてフィルターケース４１の一室４２ａに流下し、水位がオーバーフロー部３９の位置に保たれる。
【００４５】
フィルターケース４１の一室４２ａに洗浄液６が流れるとフィルター４３によりろ過されて、他室４２ｂを経て洗浄液６のみがポンプ７に吸入・排出されてチューブ２９、連結管９を介して容器５に洗浄液６が返送され、容器５に戻った量と同じ量の洗浄液６が放出孔部１４から洗浄部４に放出され、このようにして洗浄部４の洗浄液６がポンプ７を介して循環する。この水位が保たれた状態を一定時間続けることで除毛器具２の体毛処理部１を洗浄するのである。
【００４６】
この場合、上記のように洗浄部４の洗浄液６がポンプ７を介して一定時間続けて循環する間、除毛器具２の体毛処理部１を動作させ、例えば電気かみそりの場合、内刃を駆動して振動させ、脱毛装置の場合には脱毛爪を回動又は回転して脱毛爪を開閉動作させることでよりいっそう洗浄効果を上げることができるものである。
【００４７】
上記のようにして一定時間の洗浄が終わると、その後、ポンプ７の運転は継続しながら気密弁８を開にして開閉口１１を開いて洗浄時に密閉していた容器５内の密閉を開放する。これにより容器５内の気密がとかれ容器５内の内圧が上昇しないためポンプ７により容器５に戻ってきた洗浄液６は再び容器５外に流出することはなくなり、容器５内に洗浄液６が回収されるものである。
【００４８】
ここで、容器５の気密を開放するための開閉口１１の孔面積が、ポンプ７から容器５内に流体を送る送入口９ａの孔面積と同じか又は大きくしてあることで、上記のように一定時間の洗浄が終わった後、気密弁８を開にして開閉口１１を開いた場合に容器５内の内圧を決して上昇させることがなく、したがって、回収する洗浄液６の一部が放出孔部１４から洗浄部４に流れ出て、放出孔部１４部分に液垂れが生じるというおそれがないものである。
【００４９】
ここで、本発明においては、前述のように洗浄部４の側方に容器５を配置することで洗浄部４の下方に容器５を配置する従来例に比べて洗浄装置３の上下高さを低くして嵩を低くコンパクトにできるようにしたが、このように洗浄部４の側方に容器５を配置した場合、洗浄後に洗浄液６を容器５に回収するに当たって洗浄液６の自然落下では容器５内に回収することができない。そこで、上記のように、洗浄時に循環させるポンプ７をそのまま利用して洗浄後に洗浄液６を回収できるように、洗浄時には容器５内を気密にし、洗浄が終わって洗浄液６を容器５に回収する時は容器５の気密を開放することで、単一のポンプ７を利用して、洗浄時の洗浄液６の循環と、洗浄後における洗浄液６の容器５への回収とを行うことができるようにしたものであり、これにより循環と回収のポンプを兼用化でき、構造を簡略化し、コンパクト化が図れるものである。
【００５０】
上記した容器５内を密閉した状態でポンプ７により洗浄液６内を加圧することで容器５に入れた洗浄液６を容器５から放出して除毛器具２を洗浄すると共に洗浄後の洗浄液６をポンプ７で加圧して再び容器５に返送し、洗浄液６による除毛器具２の洗浄が終った後、容器５の気密を開放した状態でポンプ７により容器５に洗浄液６を戻して容器５に洗浄液６を回収するという一連の動作は少なくとも１回以上行うものである。図１２には本発明の上記洗浄動作、回収動作を示す模式図が示してある。
【００５１】
その後、ポンプ７を停止させ、ファン装置４５を作動させ、除毛器具２の体毛処理部１を備えた先端部（ヘッド部）に送風して除毛器具２の先端部（ヘッド部）を乾燥させものである。
【００５２】
上記実施形態の洗浄装置３においては、容器５を洗浄装置本体１３に対して着脱自在にしたものが示してあり、容器５の着脱を洗浄装置本体１３に対して上方からの着脱操作により着脱を行うことで容器５を洗浄装置本体１３に着脱する際に洗浄装置本体１３が倒れたり、横方向にずれたりすることがなく、操作性をよくしているが、本発明においては容器５を洗浄装置本体１３と別体にするものにのみ限定されず、図１３に示すように洗浄装置本体１３と容器５とが一体であってもよいものである。
【００５３】
ところで、本発明においては、洗浄のために除毛器具２を上下逆にして洗浄装置３の洗浄部４の所定位置に配置した状態で、洗浄装置３から除毛器具２に電力乃至除毛器具２を制御する制御信号の少なくとも一方又は両方を伝送するための伝送手段を設けてある。この伝送手段は、除毛器具２の側面に設けた除毛器具側伝送部Ａと、除毛器具２を洗浄部４に配置した状態で除毛器具２の側面に設けた除毛器具側伝送部Ａに対応する洗浄部４位置に設けた洗浄装置側伝送部Ｂとで構成してある。
【００５４】
すなわち、除毛器具２のグリップ部５１には側面（添付図面の実施形態では側面の一部である背面）に側面端子ブロック５３が設けてある。側面端子ブロック５３は図２０に示すようなもので、側面基台５４と、側面基台５４に取付ける除毛器具側伝送部Ａを構成する側面端子５５と、側面端子５５に電気的に接続される側面プラグ板５６と、側面プラグ板５６に電気的に接続される側面リード線５７と、側面防水リング４８とにより構成してあり、更にグリップ部５１内の回路ブロック５８の充電回路５９や制御回路６０や電池６１に接続してある。
【００５５】
ここで、除毛器具２のグリップ部５１の側面とは除毛器具２をヘッド部５０が上を向くようにした姿勢でグリップ部５１の正面、左右側面、背面を指し、実施形態では除毛器具２が往復式電気かみそりであって、体毛処理部１を構成する内刃の往復動方向を左右方向としており、また、オン、オフスイッチ等の操作部４９を正面に設け、背面にトリマー部５２を設けた例であり、図１７に示すようにグリップ部５１の背面のトリマー部５２の下方位置に側面端子５５を配置してある。もちろん背面以外の他の側面（つまり、正面や左右側面）に側面端子５５を設けてもよい。
【００５６】
洗浄装置３には除毛器具２を上下逆にして洗浄装置３の洗浄部４の所定位置に配置した場合上記除毛器具２の側面に設けた除毛器具側伝送部Ａを構成する側面端子５５と接触するための洗浄装置側伝送部Ｂを構成する接続端子６３が設けてあり、この接続端子６３は洗浄装置３の制御回路６４、電源回路６５に接続してある。添付図面に示す実施形態においては洗浄部４の側方の立ち上がり部２２の洗浄部４側の側面に洗浄装置側伝送部Ｂとなる接続端子６３が設けてある。
【００５７】
そして、除毛器具２を体毛処理部１が下となるように上下逆にして洗浄装置３の洗浄部４の所定位置に配置した場合、除毛器具２の除毛器具側伝送部Ａである側面端子５５が洗浄装置３の洗浄装置側伝送部Ｂである接続端子６３に接触する。ここで、除毛器具２の側面に設ける側面端子５５位置は任意の高さに配置できるが、グリップ部５１の下部に配置した場合、除毛器具２を上下逆にして洗浄装置３の洗浄部４内に配置した場合、側面端子５５の位置が高くなり、このため洗浄装置３に設ける接続端子６３の位置が高くなり、したがって、洗浄装置３の上下高さ低くする効果が薄れることになる。このため、除毛器具側伝送部Ａである側面端子５５は除毛器具２のグリップ部５１の上下方向の略中央付近あるいは上部に設けるのが好ましく、これにより洗浄装置３に設ける洗浄装置側伝送部Ｂである接続端子６３の位置を低くできて洗浄装置３のよりいっそう上下高さを低くできる。
【００５８】
ここで、本発明においては、洗浄装置３の洗浄部４に除毛器具２を上下逆にして入れて所定位置に配置することで除毛器具２を洗浄装置３に洗浄のためにセットした場合、除毛器具２が洗浄装置３に対して所定の位置関係で保持されるように保持手段Ｃが設けてあるが、前述の実施形態においては、洗浄装置３の接続端子６３を設けた側に設置した一対の保持アーム４６により構成した引圧装置９５と、洗浄部４の接続端子６３を設けた側に設置した傾斜部３１とがそれぞれ保持手段Ｃを構成している。
【００５９】
すなわち、前述の実施形態においては、洗浄装置３の洗浄部４に除毛器具２を上下逆にして入れて所定位置に配置して前述のように保持手段Ｃである引圧装置９５を構成する一対の保持アーム４６により除毛器具２を保持した場合、可動保持アーム４６ｂをばね付勢してあって、この可動保持アーム４６ｂにより除毛器具２を洗浄装置３側に引っ張って除毛器具側伝送部Ａを洗浄装置３の洗浄装置側伝送部Ｂ側に向けて押し付けて両者の位置関係が離れないようにしており、更に、前述のように、保持手段Ｃを構成する傾斜部３１に除毛器具２を傾けてもたれ掛けるようにして保持することで、除毛器具２自身の自重により除毛器具側伝送部Ａを洗浄装置側伝送部Ｂに向けて押し付けて両者の位置関係が離れないようにしている。ここで、前述の実施形態においては、上記のように一対の保持アーム４６よりなる引圧装置９５と傾斜部３１とがそれぞれ保持手段Ｃを構成しているが、引圧装置９５のみで保持手段Ｃを構成したり、傾斜部３１のみで保持手段Ｃを構成してもよい。
【００６０】
また、図２１に示すように、洗浄装置３の洗浄部４をはさんで洗浄装置側伝送部Ｂと対向する側に押圧装置９６を設けて保持手段Ｃを構成してもよい。押圧装置９６は横方向に移動自在な押圧部９６ａと、押圧部９６ａを押圧して押圧部９６ａを洗浄部４側に向けて突出させるばね力を付与するためのばね９６ｂとで構成してある。そして、本実施形態においては、洗浄装置３の洗浄部４に除毛器具２を上下逆にして入れて所定位置に配置した状態で押圧装置９６の押圧部９６ａにより除毛器具２を押圧して除毛器具側伝送部Ａを洗浄装置３の洗浄装置側伝送部Ｂ側に向けて押し付けて両者の位置関係が離れないようにしている。
【００６１】
なお、上記した押圧装置９６と上記引圧装置９５とを組み合わせて保持手段Ｃを構成したり、あるいは押圧装置９６と傾斜部３１とを組み合わせて保持手段Ｃを構成したり、あるいは押圧装置９６と上記引圧装置９５と傾斜部３１とを組み合わせて保持手段Ｃを構成したりしてもよいものである。
【００６２】
図１４には上記のような洗浄システムの電気的なブロック図が示してある。洗浄装置３には外部から入力される電源を洗浄装置３内部で用いる電圧に変換する電源回路６５と、洗浄装置３全体の制御を行う制御回路６４と、ポンプ７、気密弁８、ファン装置４５と、状態表示を行うための表示回路６６と、フィルターケース４１がフィルターケース収納部２０に収納されているかどうかを検出するためのフィルター検出回路６７と、除毛器具２の除毛器具側伝送部Ａである側面端子５５と接続するための洗浄装置側伝送部Ｂである接続端子６３とを含んだ構成となっている。制御回路６４において、ポンプ７、気密弁８、ファン装置４５の動作の制御、洗浄の進行状況の表示制御を行うと共に、洗浄装置側伝送部Ｂと除毛器具側伝送部Ａよりなる伝送手段を通して除毛器具２への通信、給電の制御をおこなうようになっている。また、制御回路６４はフィルター検出回路６７からの信号を受け、フィルターケース４１が無い場合には洗浄を行わないなどの判断を行っている。
【００６３】
除毛器具２は、除毛器具２の制御全般を行っている制御回路６０、電池６１、洗浄装置３との接続を行う除毛器具側伝送部Ａである側面端子５５、電池６１への充電を行う充電回路５９を含んだ構成となっている。制御回路６０では、洗浄装置側伝送部Ｂである接続端子６３、除毛器具側伝送部Ａである側面端子５５を通して洗浄装置３から送られてきた信号に応じて除毛器具２の体毛処理部１の駆動を行うことが可能なように構成してあり、また、充電回路５９においては洗浄装置側伝送部Ｂである接続端子６３、除毛器具側伝送部Ａである側面端子５５を通して洗浄装置３から給電された電力により電池６１を充電することができるように構成してある。
【００６４】
ここで、洗浄装置３の洗浄部４に除毛器具２を上下逆にして入れて所定位置に配置して洗浄する場合の制御の一例につき説明する。
【００６５】
すなわち、洗浄装置３の洗浄部４に除毛器具２を上下逆にして入れて所定位置に配置して側面端子５５が接続端子６３に接触すると、この接続端子６３への側面端子５５の接触を任意の検出手段で検出して洗浄装置３の制御回路６４により洗浄動作を始めるように制御し、同時に接続端子６３、側面端子５５を通して洗浄装置３から制御信号を送ると共に給電し、接続端子６３、側面端子５５を通して洗浄装置３から送られてきた制御信号を除毛器具２の制御回路６０に入力して体毛処理部１を駆動させると共に接続端子６３、側面端子５５を通して洗浄装置３から給電された電力により電池６１を充電する。
【００６６】
このようにすると、洗浄装置３の洗浄部４に除毛器具２を上下逆にして入れて所定位置に配置して側面端子５５が接続端子６３に接触させると同時に洗浄装置３における洗浄が自動的に開始されると共に洗浄中に除毛器具２の体毛処理部１が駆動して洗浄をより効果的に行うことができるものであり、同時に除毛器具２への充電も行えるものである。
【００６７】
上記実施形態では洗浄装置３の所定位置に除毛器具２をセットすると自動的に洗浄動作、体毛処理部１の駆動、充電を行わせるように制御する例を示したが、洗浄装置３の所定位置に除毛器具２をセットし、側面端子５５を接続端子６３に接触させた後、洗浄装置３に設けたスイッチ（図示せず）をオン操作することで上記洗浄動作、体毛処理部１の駆動、充電を行わせるように制御するようにしてもよい。
【００６８】
また、上記実施形態では除毛器具側伝送部Ａである側面端子５５と洗浄装置側伝送部Ｂである接続端子６３を接触させて信号及び電力を洗浄装置３から除毛器具２に送るようにした例を示しているが、除毛器具側伝送部Ａである側面端子５５と洗浄装置側伝送部Ｂである接続端子６３を接触させて信号のみを送って洗浄中に除毛器具２の体毛処理部１を駆動させるようにしてもよいものである。
【００６９】
また、除毛器具側伝送部Ａである側面端子５５と洗浄装置側伝送部Ｂである接続端子６３を接触させて電力のみを送って除毛器具２の電池６１に充電するようにしてもよいものである。
【００７０】
上記した各実施形態では除毛器具２に設けた側面端子５５よりなる除毛器具側伝送部Ａと、接続端子６３よりなる洗浄装置側伝送部Ｂとで伝送手段を構成して側面端子５５を接続端子６３に直接接触させて電気的接続を行って電力や制御信号を伝送するようにした例を示したが、図２２に示すように、除毛器具２の側面部内に除毛器具側伝送部Ａとなる二次巻線９８を配置し、洗浄装置３の上記二次巻線９８に対向する部分に洗浄装置側伝送部Ｂとなる一次巻線９７を配置して、洗浄のために除毛器具２を上下逆にして洗浄装置３にセットした状態で、一次巻線９７と二次巻線９８との間を電磁接続することで、除毛器具側伝送部Ａを洗浄装置側伝送部Ｂに直接接触を行わなくても非接触で信号や電力伝送が行えるようにしてもよいものである。このように非接触方式で磁気接続とすると除毛器具２、洗浄装置３とも信号や電力を送るために接続する部分をハウジング表面に設ける必要がなく、手で持つときに握り易い形状にでき、また、ハウジングに孔をあける必要がないため防水が簡単に行えるものである。
【００７１】
【発明の効果】
上記のように本発明の請求項１記載の発明にあっては、洗浄のために除毛器具を洗浄装置の洗浄部に配置した状態で洗浄装置から除毛器具に電力乃至除毛器具を制御する制御信号の少なくとも一方又は両方を伝送するための伝送手段を設け、該伝送手段を、除毛器具の側面に設けた除毛器具側伝送部と、除毛器具を洗浄部に配置した状態で除毛器具の側面に設けた除毛器具側伝送部に対応する洗浄部位置に設けた洗浄装置側伝送部とで構成してあるので、洗浄のために除毛器具を洗浄装置の洗浄部４に配置した状態で洗浄装置から除毛器具に電力乃至除毛器具を制御する制御信号の少なくとも一方又は両方を伝送することができて、洗浄のために除毛器具を洗浄装置にセットした状態で除毛器具に充電したり、あるいは洗浄の際に洗浄装置から制御信号を伝送して除毛器具の体毛処理部を駆動させて洗浄効果を上げるようにすることができるのみならず、洗浄装置側伝送部を従来のように洗浄装置に除毛器具をセットした状態で除毛器具の上面よりも上方に配置する必要がなく、これにより、洗浄装置の上下高さを低くすることが可能となり、嵩の低いコンパクトな洗浄装置を提供できるものである。
【００７２】
また、請求項２記載の発明にあっては、上記請求項１記載の発明の効果に加えて、洗浄のために除毛器具を洗浄装置の洗浄部に配置した状態で洗浄器具側伝送部と除毛器具側伝送部とを電気的に接続してあるので、除毛器具の側面に設けた除毛器具側伝送部と洗浄装置に設けた洗浄装置側伝送部とを電気的に接続することで簡単な構成で洗浄装置の上下高さを低く出きることを可能としながら洗浄装置から除毛器具に電力乃至除毛器具を制御する制御信号の少なくとも一方又は両方を伝送することができ、また、除毛器具側伝送部と洗浄装置側伝送部とを電気的に接続するものであるから、伝送手段の構造が簡略化できて伝送装置部分の小型化が可能となり、この点でも小型化が可能となるものである。
【００７３】
また、請求項３記載の発明にあっては、上記請求項１記載の発明の効果に加えて、洗浄器具側伝送部を一次巻線で構成すると共に除毛器具側伝送部を二次巻線で構成して一次巻線と二次巻線との間を電磁接続してあるので、洗浄装置の上下高さを低く出きることを可能としながら洗浄装置から除毛器具に電力乃至除毛器具を制御する制御信号の少なくとも一方又は両方を伝送することができ、しかも、非接触により電力や制御信号を伝達できて防水構造が簡単となり、また、除毛器具の側面に端子を設ける必要がなくて除毛器具が握り易くなって除毛器具の操作性が良くなるものである。
【００７４】
また、請求項４記載の発明にあっては、上記請求項１乃至請求項３のいずれかに記載の発明の効果に加えて、洗浄のために除毛器具を洗浄装置の洗浄部に配置して除毛器具側伝送部が洗浄装置側伝送部に対向した状態を保持するための保持手段を設けてあるので、洗浄のために除毛器具を洗浄装置の洗浄部４に配置して除毛器具側伝送部が洗浄装置側伝送部に対向した状態を保持手段により保持できて、除毛器具を洗浄装置にセットした状態における除毛器具側伝送部と洗浄装置側伝送部との位置関係を正確に保持できるものである。
【００７５】
また、請求項５記載の発明にあっては、上記請求項４記載の発明の効果に加えて、保持手段が除毛器具の除毛器具側伝送部を洗浄装置の洗浄装置側伝送部に向けて押し付ける圧力を付与するものであるので、除毛器具を洗浄装置にセットした状態における除毛器具側伝送部と洗浄装置側伝送部との位置関係を保持手段により保持した状態で除毛器具側伝送部を洗浄装置の洗浄装置側伝送部側に向けて押し付けて両者の位置関係が離れないようにできて、伝送手段を介しての電力や制御信号の伝送が安定して行えるものである。
【００７６】
また、請求項６記載の発明にあっては、上記請求項５記載の発明の効果に加えて、洗浄装置の洗浄装置側伝送部を設けた側に設置した保持手段を構成する引圧装置により除毛器具を洗浄装置側に引き付けるので、引圧装置により除毛器具を洗浄装置側に引き付けて除毛器具側伝送部を洗浄装置側伝送部側に向けて押し付けて両者の位置関係が離れないようにできるものであり、簡単な構成で伝送手段を介しての電力や制御信号の伝送が安定して行えるものである。
【００７７】
また、請求項７記載の発明にあっては、上記請求項５記載の発明の効果に加えて、洗浄装置の洗浄部をはさんで洗浄装置側伝送部と対向する側に設置した保持手段を構成する押圧装置により除毛器具を洗浄装置に押付けてあるので、押圧装置により除毛器具を洗浄装置側に押付けて除毛器具側伝送部を洗浄装置側伝送部側に向けて押し付けて両者の位置関係が離れないようにできるものであり、簡単な構成で伝送手段を介しての電力や制御信号の伝送が安定して行えるものである。
【００７８】
また、請求項８記載の発明にあっては、上記請求項５記載の発明の効果に加えて、洗浄装置に保持手段を構成する傾斜部を設けて除毛器具を傾斜部に傾斜させて保持することで除毛器具の自重により除毛器具側伝送部を洗浄装置側伝送部に向けて押し付けるので、傾斜部を設けるという簡単な構成で、除毛器具自身の自重により除毛器具側伝送部を洗浄装置側伝送部に向けて押し付けて両者の位置関係が離れないようにできて、簡単な構成で伝送手段を介しての電力や制御信号の伝送が安定して行えるものである。
【図面の簡単な説明】
【図１】本発明の洗浄装置に洗浄のために除毛器具をセットしている状態を示す側面断面図である。
【図２】同上の斜視図である。
【図３】本発明の洗浄装置の側面断面図である。
【図４】同上の他の部分で切断した側面断面図である。
【図５】同上の正面図である。
【図６】同上の連結管部分で切断した正面断面図である。
【図７】同上の気密弁の断面図である。
【図８】同上に使用するポンプを示し、（ａ）は正面断面図であり、（ｂ）は側面断面図である。
【図９】同上の容器の断面図である。
【図１０】同上のフィルターケースを示し、（ａ）は平面図であり、（ｂ）は側面断面図である。
【図１１】同上のファン装置を示し、（ａ）は背面図であり、（ｂ）は正面断面図であり、（ｃ）は側面断面図である。
【図１２】同上の洗浄動作を示す模式図である。
【図１３】同上の洗浄装置の他の実施形態の断面図である。
【図１４】同上の洗浄システムの電気的なブロック図である。
【図１５】同上に用いる除毛器具の正面側から見た斜視図である。
【図１６】同上の正面図である。
【図１７】同上の背面図である。
【図１８】同上の断面図である。
【図１９】同上の分解斜視図である。
【図２０】同上の側面端子ブロックの分解斜視図である。
【図２１】本発明の他の実施形態の断面図である。
【図２２】本発明の更に他の実施形態の断面図である。
【符号の説明】
１  体毛処理部
２  除毛器具
３  洗浄装置
４  洗浄部
３１  傾斜部
９７  一次巻線
９８  二次巻線
９５  引圧装置
９６  押圧装置
Ａ  除毛器具側伝送部
Ｂ  洗浄装置側伝送部
Ｃ  保持手段
【図１】
2004261208.tif 000003
【図２】
2004261208.tif 000004
【図３】
2004261208.tif 000005
【図４】
2004261208.tif 000006
【図５】
2004261208.tif 000007
【図６】
2004261208.tif 000008
【図７】
2004261208.tif 000009
【図８】
2004261208.tif 000010
【図９】
2004261208.tif 000011
【図１０】
2004261208.tif 000012
【図１１】
2004261208.tif 000013
【図１２】
2004261208.tif 000014
【図１３】
2004261208.tif 000015
【図１４】
2004261208.tif 000016
【図１５】
2004261208.tif 000017
【図１６】
2004261208.tif 000018
【図１７】
2004261208.tif 000019
【図１８】
2004261208.tif 000020
【図１９】
2004261208.tif 000021
【図２０】
2004261208.tif 000022
【図２１】
2004261208.tif 000023
【図２２】
2004261208.tif 000024